(57)【要約】      （修正有）【課題】特にお湯を沸かす時に、熱湯の吹きこぼれを防止できるケトルを提供する。【解決手段】吹きこぼれ防止機能付きのケトルは、本体１０と、ガイドボード２０Ａと、蓋部材３０を有し、そのうち、本体は、収容部材１１及び注ぎ部材１２を備え、該収容部材は、上部に開口１１１が形成され、下段部分の内周壁に貫通穴１１２が形成され、該ガイドボードは、完全または部分的に貫通穴をカバーしながら、収容部材と注ぎ部材とを連通させるように、収容部材の貫通穴の下方の内周壁に取り付けられ、その断面が下側から上側へ行く次第に収容部材の中心線１５と接近するように斜め上方に延出し、該蓋部材は、収容部材の開口をカバーするように、着脱可能に本体に取り付けられ、その構造によれば、沸騰したお湯及び蒸気泡がガイドボードによって貫通穴から離れるように案内されながら上昇するため、蒸気泡の注ぎ部材の内部への進入を減少させると共に、沸騰したお湯が注ぎ部材の注ぎ口１２１から吹きこぼれることも防止することができる。【選択図】図１
0003208215.tif 000002
【実用新案登録請求の範囲】
【請求項１】
上部に開口が形成され、下段部分の内周壁に貫通穴が形成され、該貫通穴における、軸方向を穴中心線と設定し、内周縁の上側に穴上縁が形成され、内周縁の下側に穴下縁が形成されると共に、中心に垂直方向を中心線と設定する収容部材及び、該収容部材の底部近傍に、貫通穴と連通するように設けられる注ぎ部材を備える、本体と、
前記貫通穴をカバーしながら、収容部材と注ぎ部材とを連通させるように、本体の収容部材の下段部分の内周壁に取り付けられ、案内部及び案内上縁を備え、該案内部は、断面が下側から上側へ行く次第に収容部材の中心線と接近するように斜め上方に延出する湾曲弧状の穴なしのプレートであり、本体の貫通穴の穴下縁よりも下方に位置するように収容部材の下段部分の内周壁に接着され、該案内上縁は、案内部の上側に設けられ、本体の貫通穴と対応しながら穴下縁よりも高く穴上縁よりも下方に位置する、ガイドボードと、
前記収容部材の開口をカバーするように、着脱可能に本体に取り付けられる蓋部材と、を有することを特徴とする吹きこぼれ防止機能付きのケトル。
【請求項２】
前記案内部の案内上縁に連通部が設けられ、該連通部は、断面が下側から上側へ行く次第に収容部材の中心線から離れるように斜め上方に延出する湾曲弧状のプレートであり、収容部材の下段部分の内周壁における貫通穴の穴上縁の上側に設けられ、
前記ガイドボードが案内部及び連通部によって貫通穴を完全にカバーし、また、該連通部に、収容部材の貫通穴と連通する少なくとも1つの連通穴が形成されることを特徴とする請求項１に記載の吹きこぼれ防止機能付きのケトル。
【請求項３】
前記蓋部材は、覆い部と、取り部と、温度計を備え、そのうち、覆い部は、開口をカバーするように収容部材に組み合わされ、該取り部は、覆い部の上面に取り付けられ、該温度計は、取り部の外部に露出するように該取り部に取り付けられる温度表示器及び、該温度表示器と電気接続すると共に、本体の収容部材の内部空間に伸びるように挿設される温度検知棒を備えることを特徴とする請求項２に記載の吹きこぼれ防止機能付きのケトル。
【請求項４】
前記収容部材の下段部分は、底部から上方へ行くにつれて次第に内径が小さくなる円錐段部であることを特徴とする請求項３に記載の吹きこぼれ防止機能付きのケトル。
【請求項５】
前記収容部材における注ぎ部材と反対する側に持ち部材が取り付けられることを特徴とする請求項４に記載の吹きこぼれ防止機能付きのケトル。
【請求項６】
前記持ち部材に重り部材が設置されることを特徴とする請求項５に記載の吹きこぼれ防止機能付きのケトル。
【請求項７】
前記蓋部材の覆い部に少なくとも１つの逃がし穴が形成されることを特徴とする請求項６に記載の吹きこぼれ防止機能付きのケトル。
【請求項８】
前記蓋部材の覆い部に少なくとも１つの逃がし穴が形成されることを特徴とする請求項３に記載の吹きこぼれ防止機能付きのケトル。
【請求項９】
前記収容部材の下段部分は、底部から上方へ行くにつれて内径が小さくなる円錐段部であることを特徴とする請求項２に記載の吹きこぼれ防止機能付きのケトル。
【請求項１０】
前記ガイドボードは、貫通穴を部分的にカバーし、その上部に連通穴が形成され、該連通穴と貫通穴との間に、収容部材の内部空間と貫通穴とを連通する注ぎ通路が形成され、
前記案内部の上側にある案内上縁は、貫通穴の穴中心線よりも上方に位置することを特徴とする請求項１に記載の吹きこぼれ防止機能付きのケトル。
【請求項１１】
前記蓋部材は、覆い部と、取り部と、温度計を備え、そのうち、覆い部は、開口をカバーするように収容部材に組み合わされ、該取り部は、覆い部の上面に取り付けられ、該温度計は、取り部の外部に露出するように該取り部に取り付けられる温度表示器及び、該温度表示器と電気接続すると共に、本体の収容部材の内部空間に伸びるように挿設される温度検知棒を備えることを特徴とする請求項１０に記載の吹きこぼれ防止機能付きのケトル。
【請求項１２】
前記収容部材の下段部分は、底部から上方へ行くにつれて内径が小さくなる円錐段部であることを特徴とする請求項１１に記載の吹きこぼれ防止機能付きのケトル。
【請求項１３】
前記収容部材における注ぎ部材と反対する側に持ち部材が取り付けられることを特徴とする請求項１２に記載の吹きこぼれ防止機能付きのケトル。
【請求項１４】
前記持ち部材に重り部材が設置されることを特徴とする請求項１３に記載の吹きこぼれ防止機能付きのケトル。
【請求項１５】
前記蓋部材の覆い部に少なくとも１つの逃がし穴が形成されることを特徴とする請求項１４に記載の吹きこぼれ防止機能付きのケトル。
【請求項１６】
前記蓋部材の覆い部に少なくとも１つの逃がし穴が形成されることを特徴とする請求項１１に記載の吹きこぼれ防止機能付きのケトル。
【請求項１７】
前記収容部材の下段部分は、底部から上方へ行くにつれて内径が小さくなる円錐段部であることを特徴とする請求項１０に記載の吹きこぼれ防止機能付きのケトル。
【請求項１８】
前記収容部材の下段部分は、底部から上方へ行くにつれて内径が小さくなる円錐段部であることを特徴とする請求項１に記載の吹きこぼれ防止機能付きのケトル。
【請求項１９】
前記収容部材における注ぎ部材と反対する側に持ち部材が取り付けられることを特徴とする請求項１に記載の吹きこぼれ防止機能付きのケトル。
【請求項２０】
前記持ち部材に重り部材が設置されることを特徴とする請求項１９に記載の吹きこぼれ防止機能付きのケトル。
【考案の詳細な説明】
【技術分野】
【０００１】
本考案は、特にお湯を沸かした時に、熱湯の吹きこぼれを防止できるケトルに関するものである。
【背景技術】
【０００２】
既存の湯沸しケトルは、本体及び蓋を備え、該本体における、側壁の底部近傍に注ぎ口部が設けられ、側壁における、注ぎ口部と反対する側に取っ手が設けられ、該本体と注ぎ口部とが接する箇所に連通口が形成され、該本体の周壁における、連通口と対応する箇所にプレートが取り付けられ、該プレートに連通口と連通する複数の連通穴が形成され、それらの連通穴を介して本体の内部と注ぎ口部の内部とを連通することができ、該蓋が本体の上部開口をカバーするように取り付けられる。
【考案の概要】
【考案が解決しようとする課題】
【０００３】
しかしながら、既存の湯沸しケトルに水を入れて沸かすと、収容部材１１の下段部分が加熱源と近いことから、下段部分の水が加熱し始めて沸騰すると大量の蒸気泡を発生する。また、既存の湯沸しケトルにおける注ぎ口部が、連通穴及び連通口を介して本体の内部と連通することから、お湯を沸かした場合に、お湯及び蒸気が注ぎ口から突発的に吹きこぼれるという問題があった。
【課題を解決するための手段】
【０００４】
上述した問題を解決するために、本考案の吹きこぼれ防止機能付きのケトルを提供する。
【０００５】
本考案の吹きこぼれ防止機能付きのケトルは、
上部に開口が形成され、下段部分の内周壁に貫通穴が形成され、該貫通穴における、軸方向を穴中心線と設定し、内周縁の上側に穴上縁が形成され、内周縁の下側に穴下縁が形成されると共に、中心に垂直方向を中心線と設定する収容部材及び、該収容部材の底部近傍に、貫通穴と連通するように設けられる注ぎ部材を備える、本体と、
前記貫通穴をカバーしながら、収容部材と注ぎ部材とを連通させるように、本体の収容部材の下段部分の内周壁に取り付けられ、案内部及び案内上縁を備え、該案内部は、断面が下側から上側へ行く次第に収容部材の中心線と接近するように斜め上方に延出する湾曲弧状の穴なしのプレートであり、本体の貫通穴の穴下縁よりも下方に位置するように収容部材の下段部分の内周壁に接着され、該案内上縁は、案内部の上側に設けられ、本体の貫通穴と対応しながら穴下縁よりも高く穴上縁よりも下方に位置する、ガイドボードと、
前記収容部材の開口をカバーするように、着脱可能に本体に取り付けられる蓋部材と、を有するものである。
【０００６】
かかる吹きこぼれ防止機能付きのケトルにおいて、
前記案内部の案内上縁に連通部が設けられ、該連通部は、断面が下側から上側へ行く次第に収容部材の中心線から離れるように斜め上方に延出する湾曲弧状のプレートであり、収容部材の下段部分の内周壁における貫通穴の穴上縁の上側に設けられ、
前記ガイドボードが案内部及び連通部によって貫通穴を完全にカバーし、また、該連通部に、収容部材の貫通穴と連通する少なくとも1つの連通穴が形成されることが好ましい。
【０００７】
かかる吹きこぼれ防止機能付きのケトルにおいて、
前記蓋部材は、覆い部と、取り部と、温度計を備え、そのうち、覆い部は、開口をカバーするように収容部材に組み合わされ、該取り部は、覆い部の上面に取り付けられ、該温度計は、取り部の外部に露出するように該取り部に取り付けられる温度表示器及び、該温度表示器と電気接続すると共に、本体の収容部材の内部空間に伸びるように挿設される温度検知棒を備えることが好ましい。
【０００８】
かかる吹きこぼれ防止機能付きのケトルにおいて、前記収容部材の下段部分は、底部から上方へ行くにつれて次第に内径が小さくなる円錐段部であることが好ましい。
【０００９】
かかる吹きこぼれ防止機能付きのケトルにおいて、前記収容部材における注ぎ部材と反対する側に持ち部材が取り付けられることが好ましい。
【００１０】
かかる吹きこぼれ防止機能付きのケトルにおいて、前記持ち部材に重り部材が設置されることが好ましい。
【００１１】
かかる吹きこぼれ防止機能付きのケトルにおいて、前記蓋部材の覆い部に少なくとも１つの逃がし穴が形成されることが好ましい。
【００１２】
かかる吹きこぼれ防止機能付きのケトルにおいて、前記ガイドボードは、貫通穴を部分的にカバーし、その上部に連通穴が形成され、該連通穴と貫通穴との間に、収容部材の内部空間と貫通穴とを連通する注ぎ通路が形成され、
前記案内部の上側にある案内上縁は、貫通穴の穴中心線よりも上方に位置することが好ましい。
【考案の効果】
【００１３】
本考案のお湯の吹きこぼれ防止機能付きのケトルについて、そのガイドボードが貫通穴をカバーしながら、本体の収容部材と注ぎ部座右とを連通させると共に、ガイドボードの断面が、下側から上側へ行くにつれて収容部材の中心線と接近するように斜め上方に延出する湾曲弧状を呈することから、お湯を沸かした時、沸騰したお湯及び蒸気泡がガイドボードによって貫通穴から離れるように案内されながら上昇するため、蒸気泡の注ぎ部材の内部への進入を減少させると共に、沸騰したお湯が注ぎ部材の注ぎ口から吹きこぼれることも防止することができる。
【図面の簡単な説明】
【００１４】
【図１】本考案の第一実施例の断面図である。
【図２】本考案の第一実施例の部分拡大断面斜視図である。
【図３】本考案の第一実施例の部分拡大断面図である。
【図４】本考案の第一実施例において、お湯が沸騰する状態を示す断面図である。
【図５】図４の部分拡大断面図である。
【図６】本考案の第二実施例の断面図である。
【図７】本考案の第二実施例の部分拡大断面斜視図である。
【図８】本考案の第二実施例の部分拡大断面図である。
【図９】本考案の第二実施例において、お湯が沸騰する状態を示す断面図である。
【図１０】図９の部分拡大断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１乃至図３に示すように、本考案の吹きこぼれ防止機能付きのケトルの第一実施例は、本体１０と、ガイドボード２０Ａと、蓋部材３０を有する。
【００１６】
図１乃至図３に示すように、前記本体１０は、収容部材１１と、注ぎ部材１２と、持ち部材１３を備え、そのうち、収容部材１１は、その中心に垂直方向を中心線１５と設定し、その上部に開口１１１が形成されると共に、内部空間が上段部分及び下段部分に区画され、その下段部分の内周壁に貫通穴１１２が形成され、該貫通穴１１２は、軸方向の穴中心線１１２２を有し、その内周縁の上側に穴上縁１１２４が形成され、その内周縁の下側に穴下縁１１２６が形成される。前記注ぎ部材１２は、収容部材１１の貫通穴１１２の周囲に斜め上方へ延出するように設けられると共に、内部に流れ通路が形成され、該流れ通路が貫通穴１１２を介して収容部材１１の内部と連通し、該注ぎ部材１２の上端に注ぎ口１２１が形成される。
尚、本実施例においては、注ぎ部材１２が、収容部材１１の底部近傍の内周壁に設けられ、持ち部材１３が、該収容部材１１における、注ぎ部材１２と反対する側に取り付けられ、該収容部材１１の下段部分は、底部から上方へ行くにつれて次第に内径が小さくなる円錐段部１１３を呈することが好ましい。
【００１７】
図１に示すように、前記本体１０の持ち部材１３は、プラスチックまたは木材などの材質からなり、ケトル全体のバランスを維持するために、その内部に重り部材１４が設置されることが好ましい。
【００１８】
図１乃至図３に示すように、前記ガイドボード２０Ａは、完全にまたは部分的に貫通穴１１２をカバーするように、本体１０における収容部材１１の下段部分の内周壁に取り付けられ、その中央部分は、収容部材１１の垂直方向の中心線１５へ湾曲突出する弧状のプレートであり、また、その外周縁が収容部材１１の貫通穴１１２の周囲に接着され、さらに、前記ガイドボード２０Ａは、連通部２１Ａと、案内部２２Ａと、案内上縁２４Ａを備え、そのうち、連通部２１Ａは、収容部材１１の下段部分の内周壁における貫通穴１１２の穴上縁１１２４の上側に取り付けられ、連通部２１Ａに少なくとも1つの連通穴２３Ａが形成され、該連通穴２３Ａ及び貫通穴１１２を介して収容部材１１の内部空間と注ぎ部材１２の流れ通路とが連通し、該案内部２２Ａは、断面が湾曲弧状を呈する穴なしのプレートであり、本体１０の貫通穴１１２の穴下縁１１２６よりも下方に位置すると共に、収容部材１１の下段部分の内周壁に設置され、その上側に案内上縁２４Ａが設けられ、該案内部２２Ａが案内上縁２４Ａを介して連通部２１Ａに設置される。すなわち、前記案内上縁２４Ａは、連通部２１Ａと案内部２２Ａとの間に位置して、連通部２１Ａと案内部２２Ａとを接合し、また、該案内上縁２４Ａは、本体１０の貫通穴１１２と対応しながら穴下縁１１２６よりも上方に位置すると共に、穴上縁１１２４よりも下方に位置し、さらに、該案内上縁２４Ａは、貫通穴１１２の穴中心線１１２２よりも上方に位置することが好ましい。
【００１９】
一方、図３及び図５に示した垂直方向の断面図から見ると、前記連通部２１Ａは、断面が下側から上側へ行くにつ第に収容部材１１の中心線１５から離れるように斜め上方に延出する湾曲弧状のプレートであると共に、前記案内部２２Ａは、断面が下側から上側へ行くにつれて次第に収容部材１１の中心線１５と接近するように斜め上方に延出する湾曲弧状のプレートであり、この構成によれば、前記連通部２１Ａにある連通穴２３Ａは、やや斜め上方に向かうように形成される。
【００２０】
図１及び図３に示すように、収容部材１１の円錐段部１１３は、底部から上方へ行くにつれて次第に内径が小さくなると共に、ガイドボード２０Ａは、貫通穴１１２をカバーするように、収容部材１１における円錐段部１１３の内周壁に取り付けられることから、ガイドボード２０Ａは必然的に収容部材１１の中心線１５に向かって斜め上方に傾くことになる。
【００２１】
図１に示すように、前記蓋部材３０は、収容部材１１の開口１１１をカバーするように、着脱可能に本体１０に取り付けられると共に、覆い部３１及び取り部３２を備え、該覆い部３１は、プレート状を呈し、開口１１１をカバーするように収容部材１１に組み合わされ、該取り部３２は、覆い部３１の上面中央に取り付けられる。尚、第一実施例においては、覆い部３１に少なくとも１つの逃がし穴３１１が形成される。
【００２２】
更に、図１に示すように、第一実施例においては、その蓋部材３０に温度計３３が設置されてもよく、該温度計３３は、温度表示器３３１及び温度検知棒３３２を備え、該温度表示器３３１は、蓋部材３０の取り部３２の外部に露出するように取り部３２に取り付けられ、該温度検知棒３３２は、温度表示器３３１と電気接続すると共に、本体１０の収容部材１１の内部空間に伸びるように蓋部材３０に挿設される。尚、前記温度検知棒３３２は、収容部材１１における内部空間の円錐段部１１３まで伸びることが好ましく、収容部材１１の内部温度を測定して温度表示器３３１に温度を表示することができる。
【００２３】
図１に示した、第一実施例における吹きこぼれ防止機能付きのケトルは、お湯を沸かす時、図４及び図５に示すように、本体１０の収容部材１１の下段部分が加熱源と近いことから、収容部材１１の下段部分の水が加熱し始めて沸騰すると大量の蒸気泡が発生する。
この時、収容部材１１の下段部分の貫通穴１１２近傍に沸騰したお湯及び蒸気泡は、ガイドボード２０Ａの案内部２２Ａによって貫通穴１１２から離れるように案内されて上昇するため、蒸気泡の注ぎ部材１２の内部への進入を減少させることができると共に、沸騰したお湯の注ぎ部材１２の注ぎ口１２１からの吹きこぼれも防止できる。
また、使用者が持ち部材１３を握ってお湯を注ぐ場合、お湯は本体１０の収容部材１１における貫通穴１１２及びガイドボード２０Ａの連通部２１Ａの連通穴２３Ａを通って注ぎ部材１２の注ぎ口１２１から出る。
【００２４】
図６に示すように、本考案本考案の第二実施例は、殆ど第一実施例と同一であるが、ガイドボード２０Ｂの構成が異なる。尚、第二実施例の本体１０及び蓋部材３０は、第一実施例と同一であることから、ここでの詳細な説明は省略する。
【００２５】
図６乃至図８に示すように、第二実施例においては、前記ガイドボード２０Ｂが、貫通穴１１２を部分的にカバーするように、本体１０の収容部材１１の下段部分の内周壁に取り付けられる。すなわち、貫通穴１１２の少なくとも下半部をカバーするように、本体１０の収容部材１１の下段部分の内周壁に取り付けられる。また、前記ガイドボード２０Ｂの上部に、収容部材１１の内部空間と貫通穴１１２とを連通する連通穴２３Ｂが形成され、該ガイドボード２０Ｂにおける連通穴２３Ｂと貫通穴１１２との間に注ぎ通路が形成され、該ガイドボード２０Ｂは、断面が湾曲弧状を呈する穴なしのプレートであり、その下側周縁は、収容部材１１の貫通穴１１２の周囲に取り付けられる。
【００２６】
図８及び図１０に示した垂直方向の断面図から見ると、前記ガイドボード２０Ｂは、断面が下側から上側へ行くにつれて次第に収容部材１１の中心線１５と接近するように斜め上方に延出する湾曲弧状のプレートであり、その上側周縁に案内上縁２４Ｂが形成され、該案内上縁２４Ｂは、本体１０の貫通穴１１２の穴中心線１１２２よりも上方に位置にする。
【００２７】
また、第二実施例においては、その本体１０の収容部材１１の貫通穴１１２及びガイドボード２０Ｂの連通穴２３Ｂを介して収容部材１１の内部空間と注ぎ部材１２の流れ通路とが連通し、そのガイドボード２０Ｂの案内上縁２４Ｂは、本体１０の貫通穴１１２の穴上縁１１２４の近傍に位置することが好ましい。
【００２８】
図６に示した第二実施例において、お湯を沸かす時は、図９及び図１０に示すように、本体１０の収容部材１１の下段部分が加熱源と近いことから、収容部材１１の下段部分の水が加熱し始めて沸騰すると、大量の蒸気泡が発生する。
この時、収容部材１１の下段部分における貫通穴１１２の近傍の沸騰したお湯及び蒸気泡は、ガイドボード２０Ｂの案内部２２Ｂによって貫通穴１１２から離れるように案内されて上昇するため、蒸気泡の注ぎ部材１２の内部への進入を減少させることができると共に、沸騰したお湯の注ぎ部材１２の注ぎ口１２１からの吹きこぼれも防止することができる。
また、使用者が持ち部材１３を握ってお湯を注ぐ場合に、お湯は、本体１０の収容部材１１貫通穴１１２及びガイドボード２０Ｂの連通部２３Ｂを通って注ぎ部材１２の注ぎ口１２１から出る。
【符号の説明】
【００２９】
１０              本体
１１              収容部材
１１１            開口
１１２            貫通穴
１１３            円錐段部
１１２２          穴中心線
１１２４          穴上縁
１１２６          穴下縁
１２              注ぎ部材
１２１            注ぎ口
１３              持ち部材
１４              重り部材
１５              中心線
２０Ａ、２０Ｂ    ガイドボード
２１Ａ            連通部
２２Ａ、２２Ｂ    案内部
２３Ａ、２３Ｂ    連通穴
２４Ａ、２４Ｂ    案内上縁
３０              蓋部材
３１              覆い部
３１１            逃がし穴
３２              取り部
３３              温度計
３３１            温度表示器
３３２            温度検知棒
【図１】
0003208215.tif 000003
【図２】
0003208215.tif 000004
【図３】
0003208215.tif 000005
【図４】
0003208215.tif 000006
【図５】
0003208215.tif 000007
【図６】
0003208215.tif 000008
【図７】
0003208215.tif 000009
【図８】
0003208215.tif 000010
【図９】
0003208215.tif 000011
【図１０】
0003208215.tif 000012